(57)【要約】【課題】輝度むらの発生を抑えることができる照明装置を提供する。【解決手段】照明装置１０は、直線状に光源が配置されるライン光源部１２と、前記ライン光源部１２と対向してライン光源部１２から出射される光が入射される光入射面としての対向面２１を有する導光板１３とを備える。対向面２１は、押出成形により対向面２１の前記ライン光源部１２との対向方向に凹凸形状をなす凹凸部２２が形成される。【選択図】図２
2014207136.tif 000002
【特許請求の範囲】
【請求項１】
直線状に光源が配置されるライン光源部と、前記ライン光源部と対向してライン光源部から出射される光が入射される光入射面を有する導光板とを備えた照明装置であって、
前記光入射面は、押出成形により該光入射面の前記ライン光源部との対向方向に凹凸形状をなす凹凸部が形成されることを特徴とする照明装置。
【請求項２】
請求項１に記載の照明装置において、
前記ライン光源部を複数備えて多角形状に配置され、
前記導光板は、複数のライン光源部のそれぞれと対向される複数の光入射面が連続するように形成されることを特徴とする照明装置。
【請求項３】
請求項２に記載の照明装置において、
前記導光板は、前記複数の光入射面の内で隣接する光入射面間の境界部分にのみ前記凹凸部を備えることを特徴とする照明装置。
【請求項４】
請求項１〜３のいずれか一項に記載の照明装置において、
前記導光板は、前記光入射面から入射された光を該光入射面の面直交方向に対して交差する方向の光出射面から光を出射するものであり、前記光出射面とは反対側の反対面に光拡散部を有することを特徴とする照明装置。
【請求項５】
請求項１〜４のいずれか一項に記載の照明装置において、
前記導光板は、前記光入射面から入射された光を該光入射面の面直交方向に対して交差する方向の光出射面から光を出射するものであり、前記光出射面とは反対側の面に高反射シートを備えることを特徴とする照明装置。
【発明の詳細な説明】
【技術分野】
【０００１】
本発明は、照明装置に関するものである。
【背景技術】
【０００２】
従来より、直線状に光源が配設されるライン光源部と、このライン光源部から出射された光を導く導光板とを備える照明装置が広く知られている（例えば特許文献１参照）。
【先行技術文献】
【特許文献】
【０００３】
【特許文献１】特開２０１１−２２２４２０号公報
【発明の概要】
【発明が解決しようとする課題】
【０００４】
ここで、上記のような照明装置の参考例として図６を用いて説明する。図６に示すように参考例の照明装置１００は、ライン光源部１０１と、このライン光源部１０１と対向する光入射面１０２ａを有する導光板１０２とを備える。この照明装置１００は、前記ライン光源部１０１から出射された光はライン光源部１０１と対向する導光板１０２の光入射面１０２ａから光を導入している。また、参考例のように光入射面１０２ａが角度を有して隣接する場合で光入射面１０２ａが単純な平面である場合には、光入射面１０２ａの隣接する部位において入射された光が導光板１０２内で集まりやすく、その範囲Ａ１において輝度むらが発生する虞がある。そこで、前記導光板１０２の光入射面１０２ａに例えばサンドブラスト処理を行うことで、輝度ムラを軽減させることが可能となる。しかしながら、サンドブラスト処理では必要の無い方向にも光が拡散してしまう虞があるため、例えば光入射面１０２ａ（ライン光源部１０１）近傍の範囲Ａ２で輝度むらが発生する虞がある。
【０００５】
本発明は、上記課題を解決するためになされたものであって、その目的は、輝度むらの発生を抑えることができる照明装置を提供することにある。
【課題を解決するための手段】
【０００６】
上記課題を解決するために、照明装置は、直線状に光源が配置されるライン光源部と、前記ライン光源部と対向してライン光源部から出射される光が入射される光入射面を有する導光板とを備えた照明装置であって、前記光入射面は、押出成形により該光入射面の前記ライン光源部との対向方向に凹凸形状をなす凹凸部が形成されることを特徴とする。
【０００７】
また上記構成において、前記ライン光源部を複数備えて多角形状に配置され、前記導光板は、複数のライン光源部のそれぞれと対向される複数の光入射面が連続するように形成されることが好ましい。
【０００８】
また上記構成において、前記導光板は、前記複数の光入射面の内で隣接する光入射面間の境界部分にのみ前記凹凸部を備えることが好ましい。
また上記構成において、前記導光板は、前記光入射面から入射された光を該光入射面の面直交方向に対して交差する方向の光出射面から光を出射するものであり、前記光出射面とは反対側の反対面に光拡散部を有することが好ましい。
【０００９】
また上記構成において、前記導光板は、前記光入射面から入射された光を該光入射面の面直交方向に対して交差する方向の光出射面から光を出射するものであり、前記光出射面とは反対側の面に高反射シートを備えることが好ましい。
【発明の効果】
【００１０】
本発明の照明装置によれば、輝度むらの発生を抑えることができる。
【図面の簡単な説明】
【００１１】
【図１】実施形態における照明装置の概略構成図である。
【図２】同上における照明装置の平面図である。
【図３】（ａ）は同上における照明装置の導光板による光の拡散について説明するための説明図であり、（ｂ）は参考例における照明装置の導光板による光の拡散について説明するための説明図である。
【図４】別例における照明装置の一部を示す平面図である。
【図５】同上における照明装置の導光板による光の拡散について説明するための説明図である。
【図６】参考例の照明装置の平面図である。
【発明を実施するための形態】
【００１２】
以下、照明装置の一実施形態を図面に従って説明する。
図１に示すように、本実施形態の照明装置１０は、開口部を有するケース１１ａ及びこのケース１１ａの開口部を閉塞するカバー１１ｂを有する筐体１１に、ライン光源部１２と導光板１３とを収容して構成される。
【００１３】
図１に示すように、ケース１１ａは、略有底筒状をなし、樹脂材料や金属材料などで構成される。カバー１１ｂは、前記ケース１１ａの開口部を閉塞する拡散カバーである。カバー１１ｂは、例えばアクリルやポリカーボネートなどの透明樹脂材料内に光拡散剤（酸化チタンや炭酸カルシウムなどをベースとした粒子）を分散させて含有したものである。
【００１４】
図１及び図２に示すようにケース１１ａの略中央部には複数のライン光源部１２が設けられる。このライン光源部１２は、光源部としての白色ＬＥＤ１２ａ（いわゆるＳＭＤタイプ）を回路基板１２ｂ上に略直線状に配設されて構成される。回路基板１２ｂは、前記ケース１１ａの底面１１ｃと直交する方向から見て略八角形状となるように計８つ配設される。
【００１５】
図１に示すようにケース１１ａの底面１１ｃには、薄膜状の高反射シート２５を介して導光板１３が設けられる。導光板１３は、略平板環状をなし、透明材料で構成される。導光板１３は、外周面１３ａが略円形状で内周面１３ｂが非円形状の環状をなし、各面１３ａ，１３ｂの端部に略平面状の光出射面１３ｃを有する。導光板１３は、その内周面１３ｂが前記ライン光源部１２と径方向に対向するように設けられる。
【００１６】
導光板１３は、前記ケース１１ａ側の裏面１３ｄに光を取り出すための拡散加工が施されてなる光拡散部２０を有し、前記内周面１３ｂにより入射された光が面発光されるようになっている。なお、裏面１３ｄの拡散加工としてはプリズム、シルク印刷、レーザードット加工などがあり、用途に応じて選択することが加納である。また、導光板１３は、透明な材料として、アクリル、ポリカーボネート、ガラスなどを用いることが可能である。
【００１７】
図２に示すように、導光板１３の内周面１３ｂは、複数のライン光源部１２とそれぞれ対向する光入射面としての対向面２１からなる。即ち、内周面１３ｂは、８つのライン光源部１２に対向（対応）するように８つの対向面２１を有する。各対向面２１は、押出成形により押し出し形状の凹凸部２２が形成される。この凹凸部２２は、径方向外側に凹状をなす略半円状の溝が、ライン光源部１２の白色ＬＥＤ１２ａの配設方向（導光板１３の径方向と直交する方向）に連続するように形成されている。なお、凹凸部２２は、その１つの半円部分の大きさ（直径）が略１０μｍ〜１ｍｍの範囲である。
【００１８】
導光板１３は、薄膜状の高反射シート２５を介在させて前記ケース１１ａの底面１１ｃに設けられる。高反射シート２５は、高反射率の拡散性の高いシートであり、導光板１３の前記裏面１３ｄに装着して用い、効率の底上げのために用いている。
【００１９】
次に本実施形態の照明装置の作用を説明する。
本実施形態の照明装置１０は、ライン光源部１２の白色ＬＥＤ１２ａから出射された光を導光板１３に集光して入射し、導光板１３内に入射された光が全反射を繰り返しながら伝達する。裏面１３ｄに入射した光は散乱され、さらにそのうちの一部の光は輝度むら、色むら軽減のためのカバー１１ｂを経由して、有効光として外部に出力される。裏面１３ｄの拡散加工の密度分布は光出射面１３ｃの輝度分布がほぼ一様となるように設計されている。また光出射面１３ｃとは逆側に出力された光は高反射シート２５で、導光板１３内に光を戻し、発光効率の向上を図っている。
【００２０】
また、導光板１３は、光入射面としての内周面１３ｂの各対向面２１に押し出し形状の凹凸部２２が形成される。ここで、対向面２１に凹凸部２２を形成した場合と、対向面２１が平面形状の場合とで光の拡散の仕方について図３（ａ）（ｂ）を用いて説明する。
【００２１】
図３（ｂ）に示すように、各対向面２１を平面状とした場合、隣接する対向面２１の境界部分では、特に分散されることなく光Ｌ１が導光される。
一方、図３（ａ）に示すように、各対向面２１に押し出し形状の凹凸部２２を形成した場合、隣接する対向面２１の境界部分では、凹凸部２２の球面形状により、光Ｌ２が分散されやすくなる。また、凹凸部２２は径方向に沿った押し出し形状であるため、導光板１３の厚み方向においては、拡散されることがほぼ無くなる。その結果、対向面２１近傍での導光板１３の厚み方向への光の拡散が抑えられて輝度むらや色むらの発生が抑えられている。
【００２２】
次に、本実施形態の効果を記載する。
（１）光入射面としての対向面２１には、押出成形により対向面２１の直交方向である導光板１３の径方向に凹凸形状をなす凹凸部２２が形成される。このような構成とすることで、ライン光源部１２（白色ＬＥＤ１２ａ）から出射された光を分散させて輝度むらの発生を抑えることができる。また、導光板１３の厚み方向に対して凹凸部２２による光の分散はほぼ無いため、対向面２１（ライン光源部１２）近傍での導光板１３の厚み方向への光の拡散が抑えられて輝度むらや色むらの発生を抑えることができる。
【００２３】
（２）ライン光源部１２を複数備えて多角形状に配置され、前記導光板１３は、複数のライン光源部１２のそれぞれと対向される複数の対向面２１が連続するように形成される。このような構成とすることで、ライン光源部１２から出射された光を導光板１３の各光入射面としての対向面２１に形成された凹凸部２２により光を拡散させることができる。
【００２４】
（３）導光板１３は、前記対向面２１から入射された光を対向面２１の面直交方向に対して交差する方向の光出射面１３ｃから光を出射するものであり、前記光出射面１３ｃとは反対側の裏面１３ｄに光拡散部２０を有する。このような構成とすることで、光出射面１３ｃをより均一（一様）に発光させることができる。
【００２５】
（４）導光板１３は、対向面２１から入射された光を対向面２１の面直交方向に対して交差する方向の光出射面１３ｃから光を出射するものであり、前記光出射面１３ｃとは反対側の面に高反射シート２５を備える。このような構成とすることで、光出射面１３ｃをより均一（一様）に発光させることができる。
【００２６】
（５）凹凸部２２は、その１つの半円部分の大きさ（直径）が略１０μｍ〜１ｍｍの範囲であるため、回折現象発生による色むらの発生及び凹凸部２２が大きすぎる事による凹凸部２２酢油片の輝度むらの発生を抑えることができる。
【００２７】
尚、上記実施形態は、以下のように変更してもよい。
・上記実施形態では、導光板１３の対向面２１全体に押し出し形状の凹凸部２２を形成する構成としたが、これに限らない。例えば、図４及び図５に示すように、隣接する光入射面としての対向面２１の境界部分にのみ凹凸部２２を形成する構成を採用してもよい。このような構成とすることで、拡散の必要のない境界部分以外には凹凸部２２を設けていないので、金型などのコストを削減することが可能となる。
【００２８】
・上記実施形態では、ライン光源部１２の光源として所謂ＳＭＤタイプの白色ＬＥＤ１２ａを採用したが、これに限らず、青色ＬＥＤと黄色蛍光体との組合せで光源を構成してもよい。また、ライン光源部１２から出射される光はその用途に応じて白以外の光を出射する構成を採用してもよい。
【００２９】
・上記実施形態では、回路基板１２ｂ（ライン光源部１２）を複数設けて、これらで略八角形状をなすように構成したが、これに限らない。例えば、他の多角形状としてもよい。この場合、光入射面としての対向面２１も同数形成することが好ましい。また、回路基板１２ｂにフレキシブル基板を用いてもよい。
【００３０】
・上記実施形態並びに上記各変形例は適宜組み合わせてもよい。
【符号の説明】
【００３１】
１０…照明装置、１２…ライン光源部、１２ａ…光源としての白色ＬＥＤ、１３…導光板、１３ｃ…光出射面、１３ｄ…反対面としての裏面、２０…光拡散部、２１…光入射面としての対向面、２２…凹凸部、２５…高反射シート。
【図１】
2014207136.tif 000003
【図２】
2014207136.tif 000004
【図３】
2014207136.tif 000005
【図４】
2014207136.tif 000006
【図５】
2014207136.tif 000007
【図６】
2014207136.tif 000008